(57)【特許請求の範囲】
【請求項１】
本を開いて垂直に起立し又は斜めに起立した状態で閉じないようにクリップすることが出来るブッククリップ装置において、連結バーの両端には開いた本の片側全ページを表表紙又は裏表紙と共にそれぞれ挟み込むクリップを設け、該クリップの内側（中央側）には止着部を近接して取付け、そして、１ページ分をクリップすることが出来る小クリップを備え、該小クリップを上記止着部に止着することが出来るようにしたことを特徴とするブッククリップ装置。
【請求項２】
上記連結バーの中央に細い紐や可撓性のあるバンドで構成した繋ぎを連結し、該繋ぎの先端に小クリップを取付けた請求項１記載のブッククリップ装置。
【請求項３】
本を開いて垂直に起立し又は斜めに起立した状態で閉じないようにクリップすることが出来るブッククリップ装置において、連結バーの両端には開いた本の片側全ページを表表紙又は裏表紙と共にそれぞれ挟み込むクリップを設け、該クリップの内側（中央側）には止着部を近接して取付け、そして連結バーに沿ってガイドを形成すると共に、該ガイドには移動体を移動可能に取付け、この移動体には細い紐などで構成した繋ぎを連結し、該繋ぎの先端には１ページ分をクリップすることが出来る小クリップを取付け、しかも小クリップを上記止着部に止着することが出来るようにしたことを特徴とするブッククリップ装置。
【請求項４】
上記止着部にはマグネットを取付けて小クリップを止着可能とした請求項１、請求項２、又は請求項３記載のブッククリップ装置。
【請求項５】
上記止着部には板バネを取付けて小クリップを止着可能とした請求項１、請求項２、又は請求項３記載のブッククリップ装置。
【請求項６】
本を開いて垂直に起立し又は斜めに起立した状態で閉じないようにクリップすることが出来るブッククリップ装置において、連結バーの両端には開いた本の片側全ページを表表紙又は裏表紙と共にそれぞれ挟み込むクリップを設け、該クリップの外側には１ページ分をクリップすることが出来る小クリップを備え、上記連結バーの両端で上記クリップの外側に切欠き部を設け、連結バーの中央部に止着した紐の先端に上記小クリップを連結すると共に該紐を上記切欠き部に係止可能としたことを特徴とするブッククリップ装置。
【請求項７】
本を開いて垂直に起立し又は斜めに起立した状態で閉じないようにクリップすることが出来るブッククリップ装置において、連結バーの両端には開いた本の片側全ページを表表紙又は裏表紙と共にそれぞれ挟み込むクリップを設け、該クリップの外側には１ページ分をクリップすることが出来る小クリップを備え、上記連結バーの両端で上記クリップの外側に切欠き部を設け、この切欠き部に小クリップに取着したカギを係止して取付けたことを特徴とするブッククリップ装置。
【請求項８】
本を開いて垂直に起立し又は斜めに起立した状態で閉じないようにクリップすることが出来るブッククリップ装置において、連結バーの両端には開いた本の片側全ページを表表紙又は裏表紙と共にそれぞれ挟み込むクリップを設け、該クリップの外側には１ページ分をクリップすることが出来る小クリップを備え、上記小クリップをマグネットを介して連結バーに取付けたことを特徴とするブッククリップ装置。
【請求項９】
本を開いて垂直に起立し又は斜めに起立した状態で閉じないようにクリップすることが出来るブッククリップ装置において、連結バーの両端には開いた本の片側全ページを表表紙又は裏表紙と共にそれぞれ挟み込むクリップを設け、該クリップの外側には１ページ分をクリップすることが出来る小クリップを備え、上記連結バーに沿って移動することが出来る移動体をクリップの内側に取付け、この移動体に連結した紐の先端に小クリップを連結し、小クリップはクリップ外側の連結バー先端に取付けた止着部に着脱可能に取付けたことを特徴とするブッククリップ装置。
【発明の詳細な説明】
【技術分野】
【０００１】
本発明は書籍、雑誌、楽譜などの本を起立又は傾斜した状態でページが自然に捲れることを防止することが出来るブッククリップに関するものである。
【背景技術】
【０００２】
畳の間や洋間の椅子とか、列車、航空機などの座席における読書において、本のページが勝手に捲れて落ち着いて読み難いことはよく経験することである。そこで、常時、本のページ紙面を指で押さえていなければならない。また、ピアノを弾く際にも楽譜を台に載置するが、楽譜のページが捲れてピアノに集中出来ない場合が多い。
【０００３】
一般に読書をする場合、本は机やテーブルの上に置かれて本は水平となり、机やテーブル上に置かれる本はその上に重りを載置することでページが独りでに捲れることはない。また、水平な状態にある本を読む際には必然的に顔は本の上方に位置するように前屈み状態となる。この悪い姿勢で長時間にわたって読書するならば、身体が疲れ、目も疲れてしまう。
【０００４】
従来、本を読む際の読書台に関して色々な形態、構造のものが知られている。例えば、実開平７−５４３３号に係る「読書台」は、陳列、保管時等に、占有体積を小さくして陳列、保管を容易に行うことができる読書台である。
すなわち、読書台は本受けとステーとから成っていて、ステーは三角形状の１対の脚とこれらの脚の間を連結する連結板とから成っている。これらの脚及び連結板は、本受けの下面に設けられた差し込み溝にそれぞれ硬嵌めして取付けられ、脚及び連結板は適宜に取り外して分解することができる。
【０００５】
実開平６−５８７２８号に係る「読書用スタンド」は、小版の本や雑誌、大版の本や雑誌までを幅広くさまざまな方向へ傾斜させた状態で安定的に保持し、寝たままで読書することのできる読書用スタンドである。
基台上に少なくとも一部に自在に折り曲げることのできる部分を有する伸縮自在な構成の支持手段を設け、この支持手段の自由端側に保持板部を着脱自在かつ傾斜角度調節自在に取付け、この保持板部に上下方向へ摺動可能に調節板部を取り付け、前記保持板部に本等の下部を押圧保持する下部表紙押え部材と下部ページ押え部材を設け、前記調節板部に本等の上部を押圧保持する上部表紙押え部材と上部ページ押え部材を設けた上で、さらに前記保持板部の両側部に本等の両側部を係止する一対の側部ページ押え部材を摺動可能に設けたものである。
【０００６】
特開２００５−１０３１５２号に係る「読書用スタンド」は、構造を簡単にして本をセットし易くした読書用スタンドである。
すなわち、基台と、この基台上に立設された伸縮可能な構成の支持手段と、この支持手段の自由端側へ着脱可能かつ傾斜角度調節可能に挿入係止される保持板部と、この保持板部の下端部に本を支えるために直角方向へ突設した支持棚部と、この支持棚部に設けた一対の下部本押え部材と、前記保持板部の下部内側へ挿脱可能に設けた一対の下部ページ押え部材と、前記保持板部の上部両側へ挿脱可能に設けた一対の上部ページ押え部材と、前記保持板部の上部に中心部を挟んで左右に挿脱可能に設けた一対の上部本押え部材とから成り、前記下部本押え部材は本押え部材と、前記支持棚部へ前後方向及び又は左右方向に設けたガイド長孔へ移動可能に挿通させた雄ネジ部と、この雄ネジ部に前記支持棚部を介してネジ着させた締付ナットとで構成している。
【０００７】
ところで、このような読書台や読書用スタンドは、机やテーブル上に置いて起立した状態で、又は傾斜した状態で本を読む際に使うことは出来ない。例えば、ピアノやオルガンの譜面台にほぼ垂直に起立して載置される楽譜を見る場合には上記読書台を使うことは出来ない。
【特許文献１】実開平７−５４３３号に係る「読書台」
【特許文献２】実開平６−５８７２８号に係る「読書用スタンド」
【特許文献３】特開２００５−１０３１５２号に係る「読書用スタンド」
【発明の開示】
【発明が解決しようとする課題】
【０００８】
このように、従来の読書台や読書用スタンドには上記のごとき問題がある。本発明が解決しようとする課題はこの問題点であり、例えば、ピアノの譜面台に傾斜して載置した楽譜のページが独りでに捲れないようにしたブッククリップ装置を提供する。勿論、本発明のブッククリップ装置を使用する対象は楽譜に限らず、雑誌や一般書籍も含める。
【課題を解決するための手段】
【０００９】
本発明に係るブッククリップ装置の基本形態は、水平な連結バーを有し、その両端にクリップを取着した構造としている。そして、該クリップの内側（中央部側）又は外側には必要に応じて小クリップを取付けている。上記クリップの具体的な形態は問わないが、本を開いた状態で表紙と共に片側全ページを挟むことが可能な大きさとしている。そして、上記小クリップはページ分を挟む為のものであり、該小クリップを摘んで挟まれた１ページを捲ることが出来るようにしている。ここで、小クリップの取付け構造は特に限定せず、例えば連結バーに止着部を設け、この止着部にマグネットを介して、又はツメを介して取付けることが可能である。
【００１０】
連結バーの中央に紐などで構成した繋ぎを連結し、該繋ぎの先端に上記小クリップを連結した構造としたり、又は連結バーに沿ってガイドを設け、このガイドに沿って移動する移動体を取付け、この移動体から繋ぎを延ばして上記小クリップを先端に連結することもある。ここで、該繋ぎとは細い紐や細いクサリなどで湾曲自在な性質を備えたもの、又は可撓性に優れたバンドで構成することが出来る。そして、該小クリップは上記止着部にマグネット又はツメ等を介して取付けられる。ただし、上記繋ぎを用いないで小クリップを止着部に止着する場合もある。勿論、連結バーに止着部を設けることなく小クリップを連結バーに取付ける場合もある。
【発明の効果】
【００１１】
本発明に係るブッククリップ装置は本を起立した状態でページが独りでに捲れないようにクリップすることが出来る。例えば、ピアノの譜面台に楽譜を傾斜して載置する場合、所定の譜面を開いて連結バーの両端に取着したクリップで開いた楽譜の上端縁両側部を挟み込むことが出来、新しくて剛い楽譜であっても自然に閉じることはない。
【００１２】
そして、１ページ分は別の小クリップに挟んで該小クリップと共に捲ることが出来る。すなわち、該小クリップは紐などの繋ぎ先端に連結することでページを捲るときに便利である。しかも、１ページを挟んだ小クリップはツメやマグネットなどに止着されている為に、該ページが独りでに捲れ上ることはない。マグネットを止着部に取着する場合、小クリップは磁性体又はその一部に磁性体を備えていることで該止着部に吸着されてページの捲れが防止される。
【図面の簡単な説明】
【００１３】
【図１】本発明に係るブッククリップ装置を示す実施例。
【図２】止着部の拡大図で、（ａ）は正面図、（ｂ）は側面図。
【図３】小クリップの拡大図で、（ａ）正面図、（ｂ）は側面図。
【図４】止着部のマグネットに小クリップを取付けた場合。
【図５】小クリップの拡大図で、（ａ）は正面図、（ｂ）は側面図。
【図６】本の上端にブッククリップ装置を取付けた場合。
【図７】図６のＡ−Ａ断面拡大図。
【図８】図６のＢ−Ｂ断面拡大図。
【図９】止着部に板バネを取付けた場合。
【図１０】本発明に係るブッククリップ装置を示す他の実施例。
【図１１】本発明に係るブッククリップ装置を示す他の実施例。
【図１２】本発明に係るブッククリップ装置を示す他の実施例。
【図１３】本発明に係るブッククリップ装置を示す他の実施例。
【図１４】本発明に係るブッククリップ装置を示す他の実施例。
【発明を実施するための形態】
【００１４】
図１は本発明に係るブッククリップ装置を示す実施例である。同図の１は連結バー、２ａ，２ｂはクリップ、３は小クリップ、４は繋ぎ、５ａ，５ｂは止着部をそれぞれ表している。上記連結バー１は金属製又は樹脂製で、ある程度の剛性を備えているがその重量は軽く成っている。そして、連結バー１の両端にはクリップ２ａ，２ｂを取着し、このクリップ２ａ，２ｂは閉じた本の片側部を挟み込むことが出来る形態並びに大きさとしている。
【００１５】
すなわち、連結バー１を開いた本の上端縁に沿って配置し、両クリップ２ａ，２ｂによって表紙と共に開いた全ページを挟むことが出来る。クリップ２ａ，２ｂに形態は洗濯ハサミのようにバネを備えている。そして、連結バー１の両端には止着部５ａ，５ｂを取付け、この止着部５ａ，５ｂの位置は上記クリップ２ａ，２ｂに近接した内側（中央側）としている。
【００１６】
この止着部５ａには比較的小さいクリップ（小クリップ３）が止着し、小クリップ３は繋ぎ４の先端に連結している。繋ぎ４は連結バー１の中央に取付けられた一種の紐であって、その為に小クリップ３は止着部５ａから外して対向する反対側の止着部５ｂに止着することが出来る。小クリップ３は繋ぎ４に繋がれていることから、ブッククリップ装置から離脱して失われることはなく、両止着部５ａ，５ｂの何れかに止着される。ただし、１ページ分を挟む小クリップ３に繋ぎ４がなくても止着部５ａに止着されてページの捲れは防止され、必要に応じて小クリップ３を摘んでページを捲ることが出来る。
【００１７】
ここで、この小クリップ３は開いた本の次ページをクリップしており、小クリップ３を止着部５ａから外して止着部５ｂへ移動するならば次の１ページを捲ることが出来る。図２は止着部の１具体例であって、マグネット８を用いた構造と成っている。樹脂製のリング体６には穴７が貫通して設けられ、この穴７には連結バー１が嵌って取付けられる。そして、リング体７の表面には上記マグネット８を取着している。
【００１８】
図３は小クリップ３を示す実施例を表しているが、この小クリップ３は金属片又は樹脂片によって形成した一種の板バネとして構成している。すなわち、１ページの上端縁はバネ片９ａとバネ片９ｂとの間に挟むことが出来、この小クリップ３は上記マグネット８に止着される。小クリップ３の上端部には小さい穴１０が設けられ、繋ぎ４の先端が連結される。
【００１９】
図４は上記小クリップ３が図２に示す止着部５に止着された場合を表している。ここで、マグネット８で構成した止着部５には小クリップ３が止着されるように、該小クリップ３は磁性体で構成され、また、樹脂製の小クリップ３であるならば、その一部に磁性体を備えている。小クリップ３のバネ片９ａ，９ｂに挟まれたページは該小クリップ３を介して止着部５に止着されることで、独りでに捲れ上ることはなく、所定のページで安定する。
【００２０】
また、該ページを捲って次ページを開く場合であれば、該小クリップ３を止着部５ａから外し、対向する反対側の止着部５ｂに止着することが出来る。小クリップ３は柔らかい紐などで構成した繋ぎ４によって繋がれている為に、該小クリップ３がブッククリップ装置から離脱することはない。
【００２１】
図５は洗濯ハサミのような小クリップ３を表しているが、クリップ形態としては同図のようなものでも構わない。この小クリップ３にはバネが取付けられている本の所定のページを挟み込むことが出来、該小クリップ３の背面１１及び表面１２にはマグネット８に吸着する止着片（図示なし）を備えている。勿論、図３に示す小クリップ３のように金属磁性体で構成している場合には、何ら問題なくマグネット８に止着してページの捲れ防止が出来る。
【００２２】
図６は本発明のブッククリップ装置を開いた本（楽譜）に取付けた実施例である。連結バー１の両端に取着したクリップ２ａ，２ｂは楽譜の上端縁を挟み込んで、新しい本であっても独りでに閉じることはない。すなわち、クリップ２ａは本の表紙と共に片側全ページを挟み、同じくクリップ２ｂは本の裏表紙と共に片側全ページを挟み込むことが出来る。
【００２３】
図７は図６のＡ−Ａ断面拡大図であり、本の側部上縁はクリップ２ａによって挟まれ、同じく本の片側上縁はクリップ２ｂによって挟まれる。そして、両クリップ２ａ，２ｂは連結バー１によって連結されていることで本は開いた状態で保たれる。そして、片側部の１ページ１３は上記小クリップ３によってその上端縁が挟まれていて、しかも小クリップ３は止着部５ａに止着されており、該ページ１３が捲れ上らないように成っている。
【００２４】
図８は上記図６のＢ−Ｂ断面拡大図を示している。小クリップ３はマグネット８から外すことでこのページ１３を捲ることが出来、次ページが開かれる。捲ったページ１３は戻らないように小クリップ３は止着部５ｂに止着される。すなわち、小クリップ３は対向する反対側の止着部５ｂに止着される。ここで、１枚のページ１３は小クリップ３に挟まれて捲られるが、他のページ１３，１３・・・はクリップ２ａによって表表紙１４と共に挟まれている為に捲れることはない。
【００２５】
ところで、上記実施例で示した止着部５としてはマグネット８を用いているが、他の構造とすることは自由である。図９は止着部として板バネ１５ａ，１５ｂを用いた実施例を示している。止着部５に取付けた対を成す板バネ１５ａ，１５ｂは先端を湾曲して小クリップ３に設けている止着片１６が係合し易く成っている。そして、小クリップ３には紐などで構成している繋ぎ４によって連結バー１の中央部に繋がっている。小クリップ３の背面側と正面側にそれぞれ止着片１６，１６が設けられ、１ページ１３が捲れて他方の止着部５ａに止着されるように、背面側の止着片１６は止着部５ａの板バネ１５ａ，１５ｂに挟まれ、正面側の止着片１６は止着部５ｂの板バネ１５ａ，１５ｂに挟まれて止着される。
【００２６】
図１０は本発明に係るブッククリップ装置を示す他の実施例である。連結バー１にはガイド溝１７が形成され、このガイド溝１７には移動体１８の一部が嵌っている。そして該移動体１８には繋ぎ１４が連結し、繋ぎ１４の先端には上記小クリップ３が連結して取付けられている。ところで、小クリップ３が一方側の止着部５ａから外されて他方の止着部５ｂへ移動する場合、移動体１８はガイド溝１７に沿って移動することが出来る。すなわち、前記実施例では繋ぎ１４は中央部に止着されており、繋ぎ１４が長い為に移動体１８は必要ではないが、この実施例では繋ぎ１４が短く成っていて小クリップ３が止着位置を変わることで該移動体１８はガイド溝１７に沿って移動することが出来る。
【００２７】
図１１は本発明のブッククリップを示す他の実施例であり、前記図１０の別形態である。図１０のブッククリップの場合には小クリップ３ａ，３ｂがクリップ２ａ，２ｂの外側に位置している。止着部５ａ，５ｂにはマグネットが設けられており、小クリップ３ａ，３ｂは該マグネットを介して止着部５ａ，５ｂに取付けられている。そして、上記移動体１８ａ，１８ｂは連結バー１に沿って移動することが出来る。
【００２８】
図１２（ａ）は本発明に係るブッククリップ装置を示す別の実施例である。このブッククリップ装置の基本形態は前記実施例で説明したブッククリップ装置と共通し、連結バー１の両端にはクリップ２ａ，２ｂを設けている。このクリップ２ａ,２ｂは開いた本の片側全ページを表表紙及び裏表紙と共に挟み込むことが出来るが、小クリップ３ａ，３ｂはクリップ２ａ，２ｂの外側に備わっている。
【００２９】
ここで、上記小クリップ３ａ,３ｂは連結バー１の中央に止着した繋ぎ４ａ，４ｂの先端に連結し、そして連結バー１の両端部に形成した切欠き部１９ａ，１９ｂにこの繋ぎ４ａ，４ｂを係止している。小クリップ３ａ，３ｂは繋ぎ４ａ，４ｂによって吊下げられ、１ページ分を挟んだ小クリップ３ａ，３ｂは該繋ぎ４ａ，４ｂが切欠き部１９ａ，１９ｂに係止することで捲れ上がることはない。
【００３０】
そこで、１ページを捲る時は繋ぎ４ａ，４ｂを切欠き部１９ａ，１９ｂから外して行なうことが出来る。この実施例では小クリップ３ａ，３ｂを連結バー１の両側に取付けているが、一方側にのみ設ける場合もある。
図１２（ｂ）は小クリップ３を単独で表している具体例であり、該小クリップ３の上端にはカギ２０が取付けられ、このカギ２０を連結バー１の先端に設けている切欠き部１９ａ，１９ｂに係止して小クリップ３を取付け出来る。従って、カギ２０を取付けることで繋ぎ４は必要としない。
【００３１】
図１３は本発明に係る更なる別のブッククリップ装置である。勿論、基本形態は前記実施例と共通しており、連結バー１の両端をＵ字型に屈曲し、この部分にクリップ２ａ，２ｂを取着し、該クリップ２ａ，２ｂの外側に小クリップ３ａ，３ｂを取付けている。ここで、小クリップ３ａ，３ｂはバンド２１ａ，２１ｂに取付けられ、このバンド２１ａ，２１ｂにはマグネットが設けられている。そこで、小クリップ３ａ，３ｂは該マグネットを介してバンド２１ａ，２１ｂに吊下げられている。そこで、小クリップ３ａ，３ｂによって挟まれた１ページを捲るときにはバンド２１ａ，２１ｂから外して行なうことが可能である。
【００３２】
図１４は本発明のブッククリップの基本的な形態であって、連結バーの両側にクリップ２ａ、２ｂのみを取付けた場合である。このブッククリップには小クリップが無いことで特定の１ページ分を挟むことは出来ないが、その為に、クリップ２ａ，２ｂを一旦開いて１ページ分を捲ることになる。
【符号の説明】
【００３３】
１  連結バー
２  クリップ
３  小クリップ
４  繋ぎ
５  止着部
６  リング体
７  穴
８  マグネット
９  バネ片
10  穴
11  背面
12  表面
13  ページ
14  表表紙
15  板バネ
16  止着片
17  ガイド溝
18  移動体
19  切欠き部
20  カギ
21  バンド
【図１】
0005618303.tif 000002
【図２】
0005618303.tif 000003
【図３】
0005618303.tif 000004
【図４】
0005618303.tif 000005
【図５】
0005618303.tif 000006
【図６】
0005618303.tif 000007
【図７】
0005618303.tif 000008
【図８】
0005618303.tif 000009
【図９】
0005618303.tif 000010
【図１０】
0005618303.tif 000011
【図１１】
0005618303.tif 000012
【図１２】
0005618303.tif 000013
【図１３】
0005618303.tif 000014
【図１４】
0005618303.tif 000015